(57)【特許請求の範囲】
【請求項１】
合成樹脂製の円筒状芯体（１）に金属体（２）を巻き付け、さらにその金属体（２）に毛髪巻き体（３）を巻き付けたものとし、前記円筒状芯体（１）の外面に、長手方向に延びた突条（１０）を形成し、前記円筒状芯体（１）に巻き付けた金属体（２）の両側端（２ａ）を前記突条（１０）の両側に位置するようにすると共に、前記金属体（２）に巻き付けた毛髪巻き体（３）の両側端（３ａ）を前記突条（１０）に溶着してなるヘアカーラーであって、前記毛髪巻き体（３）に毛髪を巻き付けることにより、使用者の頭にセットし、毛髪にドライヤーの熱風を当てるようにしたことを特徴とするヘアカーラー。
【発明の詳細な説明】
【０００１】
【発明の属する技術分野】
この発明は、毛髪を巻き付けることにより、頭にセットして使用することのできるヘアカーラーに関するものである。
【０００２】
【従来の技術】
従来のヘアカーラーには、合成樹脂製の円筒状芯体に、表面に多数の細かいフック状の毛髪係止体を密生させた毛髪巻き体を巻き付けてなるものが存在する。
【０００３】
さらに、従来のヘアカーラーには、合成樹脂製の円筒状芯体に代えて、金属製の円筒状芯体に、前記したのと同様の毛髪巻き体を巻き付けてなるものが存在する。
【０００４】
このように構成される従来のヘアカーラーは、毛髪巻き体に毛髪を巻き付けることにより、使用者の頭にセットし、ドライヤーの熱風を当てることにより、毛髪にカール付けすることができるようにしている。
【０００５】
【発明が解決しようとする課題】
しかしながら、上記したような従来のヘアカーラーにおいて、合成樹脂製の円筒状芯体に毛髪巻き体を巻き付けたものでは、使用者の頭にセットして、ドライヤーの熱風を当てても、円筒状芯体が合成樹脂製であるため、ドライヤーの熱風による温熱の円筒状芯体への伝わりが悪く、ヘアカーラー全体の温度が上昇し難いので、毛髪にカール付けするのに時間が掛かると共に、充分なカール付けをすることができないという課題を有していた。
【０００６】
また、上記したような従来のヘアカーラーにおいて、金属製の円筒状芯体に毛髪巻き体を巻き付けたものでは、使用者の頭にセットして、ドライヤーの熱風を当てると、円筒状芯体が金属製であるため、ドライヤーの熱風による温熱の円筒状芯体への伝わりが良く、ヘアカーラー全体の温度が直ぐに上昇するが、円筒状芯体の内面が露出しているため保温性が悪く、毛髪にカール付けするのにドライヤーの熱風を常に当てていなければ、充分なカール付けをすることができないという課題を有していた。さらに、このような従来のヘアカーラーにおいて、金属製の円筒状芯体を構成するには、毛髪を巻き付けても変形しないだけの強度が必要であり、その強度を維持するのには分厚い金属板を使用しなければならず、材料も多く必要で、製作や加工にも手間が掛かるという課題を有していた。
【０００７】
そこで、この発明は、上記従来の課題を解決するものであり、毛髪にカール付けするのに時間が掛からず、充分なカール付けをすることができると共に、材料コストや生産コストを安くすることができるヘアカーラーを提供することを目的としてなされたものである。
【０００８】
【課題を解決するための手段】
そのため、この発明のヘアカーラーは、合成樹脂製の円筒状芯体１に金属体２を巻き付け、さらにその金属体２に毛髪巻き体３を巻き付けたものとし、前記円筒状芯体１の外面に、長手方向に延びた突条１０を形成し、前記円筒状芯体１に巻き付けた金属体２の両側端２ａを前記突条１０の両側に位置するようにすると共に、前記金属体２に巻き付けた毛髪巻き体３の両側端３ａを前記突条１０に溶着してなるものとし、前記毛髪巻き体３に毛髪を巻き付けることにより、使用者の頭にセットし、毛髪にドライヤーの熱風を当てるようにしている。
【００１１】
【発明の実施の形態】
以下、この発明のヘアカーラーの実施の形態を、図面に基づいて詳細に説明する。
【００１２】
図に示したこの発明のヘアカーラーは、合成樹脂製の円筒状芯体１に、金属体２を巻き付け、さらにその金属体２に毛髪巻き体３を巻き付けたものとすることにより、前記円筒状芯体１と毛髪巻き体３の間に金属体２を装着してなるものとしている。
【００１３】
円筒状芯体１は、合成樹脂の一体成形により、長手方向に互いに対向させた二本の太枠体４ａ、４ａ及び細枠体４ｂ、４ｂと、多数の横枠体５…で仕切られた多数の通孔６…を有したものとし、通気性を良くしたものとしているが、合成樹脂製の円筒状芯体１であれば、このように通気性を良くしたものに限られることはない。
【００１４】
金属体２は、前記円筒状芯体１に巻き付けることができるものとするのが好ましく、アルミニウム板、鉄板等の薄板とすることができるが、前記円筒状芯体１と毛髪巻き体３の間に装着できるものであればよい。また、この金属体２にも多数の通孔７…を有したものとし、通気性を良くしたものとしている。
【００１５】
毛髪巻き体３は、表面に多数の細かいフック状の毛髪係止体８…をネット９に密生させたものとして、前記金属体２に巻き付けることができるものとしているが、スポンジ状の筒体（図示せず）を被せるようにしたものとしてもよく、毛髪を巻き付けるようにしたものであれば特に限定されない。
【００１６】
さらに、この発明のヘアカーラーは、図２に示したように、前記円筒状芯体１の長手方向に互いに対向させた二本の太枠体４ａ、４ａの一方の外面に、長手方向に延びた突条１０を形成し、円筒状芯体１に巻き付けた金属体２の両側端２ａをこの突条４の両側に位置するようにすると共に、金属体２に巻き付けた毛髪巻き体３の両側端３ａをこの突条１０に溶着してなるものとすることができる。このようにすることにより、毛髪巻き体３は回転せず円筒状芯体１から外れにくいものとなると共に、円筒状芯体１と毛髪巻き体３の間に装着された金属体２も回転せず外れにくいものとなる。
【００１７】
以上に述べたように構成したこの発明のヘアカーラーは、毛髪巻き体３に毛髪を巻き付けることにより、使用者の頭にセットし、毛髪にドライヤーの熱風を当てることにより、カール付けするのに時間が掛からず、充分なカール付けをすることができる。すなわち、毛髪に当てたドライヤーの熱風による温熱は金属体２に伝わって、この金属体２の温度が上昇する。この場合、金属体２は、円筒状芯体１と毛髪巻き体３の間に装着されているので、冷めにくく保温性の良いものとなり、ドライヤーの熱風が常に当たっていなくても、ヘアカーラー全体の温度が上昇したまま保たれる。したがって、毛髪巻き体３に巻き付けた毛髪は、時間が掛からず、充分なカール付けをすることができる。
【００１８】
さらに、この発明のヘアカーラーは、金属体２を薄いものとすることができるので、材料も少なくてすみ、製作や加工にも手間が掛からないものとなる。
【００１９】
【発明の効果】
この発明のヘアカーラーは、以上に述べたように構成されているので、毛髪にカール付けするのに時間が掛からず、充分なカール付けをすることができると共に、材料コストや生産コストを安くすることができるものとなった。
【図面の簡単な説明】
【図１】この発明のヘアカーラーの一実施形態の一部切欠斜視図である。
【図２】図１に示したこの発明のヘアカーラーの分解斜視図である。
【図３】図１に示したこの発明のヘアカーラー垂直断面図である。
【図４】図１に示したこの発明のヘアカーラー水平断面図である。
【符号の説明】
１  円筒状芯体
２  金属体
２ａ  側端
３  毛髪巻き体
３ａ  側端
１０  突条
【図１】
0003925894.tif 000002
【図２】
0003925894.tif 000003
【図３】
0003925894.tif 000004
【図４】
0003925894.tif 000005